(57)【要約】【課題】  本発明は魚釣り用の浮子に係り、浮子を製造するに当たり、浮子の下部と外周への重りの取付けが簡単な浮子を提供することを目的とする。【解決手段】  上下方向に釣糸挿通孔が形成された上側分割体及び下側分割体と、両分割体の接合部外周に装着されるリング状の周縁重りと、両分割体で形成される浮子本体の内部に収納され、前記周縁重りより重い内側重りと、前記釣糸挿通孔に挿着される管部材とからなり、前記両分割体の接合面に、互いに係合する回止め突部と回止め凹部が形成され、両分割体の接合部外周に、前記周縁重りを組み込む周溝が形成されると共に、前記上側分割体の接合部中央に下方に突出する係合突部が形成され、前記係合突部に対応して下側分割体の接合部中央に該係合突部が係合する係合凹部が形成され、両分割体の接合により前記係合突部と係合凹部とで形成される浮子本体内部の空間に前記内側重りを配した。【選択図】    図２
2010000059.tif 000002
【特許請求の範囲】
【請求項１】
上下方向に釣糸挿通孔が形成された上側分割体及び下側分割体と、
両分割体の接合部外周に装着されるリング状の周縁重りと、
両分割体で形成される浮子本体の内部に収納され、前記周縁重りより重い内側重りと、
前記釣糸挿通孔に挿着される管部材とからなり、
前記両分割体の接合面に、互いに係合する回止め突部と回止め凹部が形成され、
両分割体の接合部外周に、前記周縁重りを組み込む周溝が形成されると共に、
前記上側分割体の接合部中央に下方に突出する係合突部が形成され、
前記係合突部に対応して下側分割体の接合部中央に該係合突部が係合する係合凹部が形成され、
両分割体の接合により前記係合突部と係合凹部とで形成される浮子本体内部の空間に、前記内側重りを配したことを特徴とする浮子。
【発明の詳細な説明】
【技術分野】
【０００１】
本発明は、魚釣り用の浮子に関する。
【背景技術】
【０００２】
従来、浮子は飛距離の確保や水中での安定を得るため、下部に重りを配して下重心の構造となっている。
【０００３】
しかし、道糸や波浪の影響で浮子上部に力が加わるとふらつき易く、また、魚の当たりが伝わり難い等の問題があった。
【０００４】
そこで、特許文献１には、図６に示すように浮力を有する浮子本体１の下部と最大外周部とに重り３，５を装着して、水中での安定性と魚信に対する感度の向上を図った浮子７が開示されている。
【０００５】
而して、前記重り３は鉛等の金属で形成され、浮子本体１の下部に設けた凹部９内に嵌合，固定されている。一方、前記重り５はカーボン，金属，ポリ塩化ビニル等の比重１以上の高比重素材で帯状に形成され、浮子本体１の最大外周部に設けた周溝１１内に巻回，固定されている。尚、図中、１３は浮子本体１の縦方向の中心に穿設された糸通し孔である。
【特許文献１】特許第３２９６１９８号公報
【発明の開示】
【発明が解決しようとする課題】
【０００６】
しかし乍ら、既述したように前記浮子７は、凹部９に重り３を嵌合固定し、周溝１１に重り５を巻回，固定するというように、製造に当たり２つの重り３，５を別々に装着しなければならない煩わしさがあった。
【０００７】
本発明は斯かる実情に鑑み案出されたもので、浮子を製造するに当たり、浮子の下部と外周への重りの取付けが簡単な浮子を提供することを目的とする。
【課題を解決するための手段】
【０００８】
斯かる目的を達成するため、請求項１に係る浮子は、上下方向に釣糸挿通孔が形成された上側分割体及び下側分割体と、両分割体の接合部外周に装着されるリング状の周縁重りと、両分割体で形成される浮子本体の内部に収納され、前記周縁重りより重い内側重りと、前記釣糸挿通孔に挿着される管部材とからなり、前記両分割体の接合面に、互いに係合する回止め突部と回止め凹部が形成され、両分割体の接合部外周に、前記周縁重りを組み込む周溝が形成されると共に、前記上側分割体の接合部中央に下方に突出する係合突部が形成され、前記係合突部に対応して下側分割体の接合部中央に該係合突部が係合する係合凹部が形成され、両分割体の接合により前記係合突部と係合凹部とで形成される浮子本体内部の空間に、前記内側重りを配したことを特徴とする。
【発明の効果】
【０００９】
請求項１に係る発明によれば、上側分割体と下側分割体の接合によって、浮子本体の内部に内側重りを収納し、同時に両分割体の接合部外周に周縁重りを組み付けることができるため、従来に比し浮子の下部と外周への内側重りと周縁重りの脱落が防止され、また、取付けが簡単に行えることとなった。
【００１０】
而も、両分割体の接合，固着に当たり、回止め突部と回止め凹部との係合によって両分割体の回止めが図られると共に、両分割体の広い接合面積を確保することができるため、両分割体の確実な接合が図れると共に、管部材によって釣糸の損傷を防止することができる。
【発明を実施するための最良の形態】
【００１１】
以下、本発明の実施形態を図面に基づいて詳細に説明する。
【００１２】
図１乃至図５は請求項１の一実施形態に係る浮子を示し、図に示すように本実施形態に係る浮子２１は、取り付ける釣糸の長手方向に於て上下に分割され、ウレタン，ＡＢＳ等の合成樹脂の発泡材で形成された上側分割体２３と下側分割体２５、そして、これらの接合部外周に装着されたリング状の周縁重り２７と、両分割体２３，２５で形成される浮子本体２９の内部に収納されたブロック状の内側重り３１と、両分割体２３，２５の中央の上下方向に形成された釣糸挿通孔３３，３５に挿着される管部材３７とで略卵形形状に形成されている。そして、周縁重り２７は内側重り３１に比し軽量で内側重り３１よりも浮子２１の上方に配置されており、該周縁重り２７で浮子２１のふらつきを防止し、周縁重り２７より重い内側重り３１を周縁重り２７より下方に配することでもふらつきを防止すると共に、浮子２１の水中への沈下姿勢を一定方向（下方）に向かわせることができるようになっている。
【００１３】
図２及び図４に示すように上側分割体２３の接合面（接合部）３９には、釣糸挿通孔３３を挟んで２つの先細テーパ形状の回止め突部４１が１８０°の間隔を空けて形成されている。そして、両回止め突部４１に対応して下側分割体２５の接合面（接合部）４３には、回止め突部４１の外形形状と一致する回止め凹部４５が設けられており、両接合面３９，４３を合わせて両分割体２３，２５を接着剤等で接合，固定すると、回止め凹部４５に回止め突部４１が係合して両分割体２３，２５の回止めが図られるようになっている。
【００１４】
そして、図２及び図３に示すように上側分割体２３の接合面３９の外周縁には、前記周縁重り２７の断面形状と一致する周溝４７が形成されており、両分割体２３，２５の接合時に、上側分割体２３の接合面３９側から周縁重り２７を周溝４７に取り付けて両分割体２３，２５を接合すると、両分割体２３，２５に挟持されて周縁重り２７が両分割体２３，２５の接合部外周に面一に組み込まれるようになっている。
【００１５】
また、既述したように、両分割体２３，２５の中央の上下方向に釣糸挿通孔３３，３５が形成されており、両釣糸挿通孔３３，３５に管部材３７が挿入されてその外周が両釣糸挿通孔３３，３５の内周に接着剤で固定されているが、図２に示すように上側分割体２３の接合面３９の中央には、先端４７が平坦な先細テーパ形状の係合突部４９が下方へ突設されており、図４の如くその中央を前記管部材３７が貫通している。
【００１６】
一方、下側分割体２５の接合面４３の中央には、前記係合突部４９の位置と形状とに対応して該係合突部４９が係合する係合凹部５１が形成されており、該係合凹部５１の深さは係合突部４９の突出量よりも大きく設定され、その中央に前記管部材３７が貫通している。
【００１７】
そして、図２及び図５に示すように両分割体２３，２５の接合によって前記係合突部４９の先端４７と係合凹部５１の周壁や底部とで形成される浮子本体２９内部の空間５３内に、該空間５３の形状に合わせて形成された内側重り３１が収納されて接着剤で固着されており、内側重り３１の中央には前記釣糸挿通孔３３，３５と中心軸を同じくし釣糸挿通孔５５が形成され、該釣糸挿通孔５５を前記管部材３７が上下方向に貫通している。
【００１８】
本実施形態に係る浮子２１はこのように構成されており、該浮子２１の組立は、一例として先ず、上側分割体２３の釣糸挿通孔３３内に管部材３７を挿入して、管部材３７を上側分割体２３に接着剤で固着する。そして、係合突部４９の先端４７から突出する管部材３７を内側重り３１の釣糸挿通孔５５に挿入して、内側重り３１を係合突部４９の先端４１に当接させておく。
【００１９】
そして、両分割体２３，２５を接合するに当たり、下側分割体２５の接合面３９と回止め凹部４５，係合凹部５１の内周に夫々接着剤を塗布し、また、係合突部４９の先端４７（内側重り３１）から突出する管部材３７の外周に接着剤を塗布する。そして、上側分割体２３の接合面３９側から周縁重り２７を周溝４７に取り付けて、前記回止め突部４１と係合突部４９を、夫々、回止め凹部４５と係合凹部５１に係合させて両分割体２３，２５を接合すると、両分割体２３，２５に挟持されて周縁重り２７が両分割体２３，２５の接合部外周に面一に組み込まれ、内側重り３１が前記空間５３内に接着剤で固着される。
【００２０】
また、内側重り３１は両分割体２３，２５により挟持されてガタツキが防止されている。
【００２１】
尚、管部材３７は両分割体２３，２５を接合した後、釣糸挿通孔３３，３５内に後付けしてもよいし、接着剤の塗布箇所や順序も本実施形態に限定されるものではない。
【００２２】
このように、本実施形態は、上側分割体２３と下側分割体２５の接合によって、浮子本体２９の内部の空間５３に内側重り３１が装着され、同時に周縁重り２７が接合部外周の周溝４７に組み付けられる。
【００２３】
そして、回止め突部４１と回止め凹部４５との係合によって両分割体２３，２５の回止めが図られると共に、両分割体２３，２５の広い接合面積が確保される。
【００２４】
また、上側分割体２３の釣糸挿通孔３３と内側重り３１の釣糸挿通孔５５との境、及び下側分割体２５の釣糸挿通孔３５と内側重り３１の釣糸挿通孔５５との境には微少な段差が生じて、その角部で釣糸が擦れて損傷する等の虞があるが、前記管部材３７がこれらの段差を覆って釣糸の損傷を防止する。
【００２５】
このように、本実施形態によれば、上側分割体２３と下側分割体２５の接合作業によって、浮子本体２９の内部の空間５３に内側重り３１を収納，固着し、同時に両分割体２３，２５の接合部外周に周縁重り２７を組み付けることができるため、図６の従来例に比し浮子２１の下部と外周への内側重り３１と周縁重り２７の取付けが簡単に行えることとなった。
【００２６】
而も、両分割体２３，２５の接合，固着に当たり、前記回止め突部４１と回止め凹部４５との係合によって両分割体２３，２５の回止めが図られると共に、両分割体２３，２５の広い接合面積を確保することができるため、両分割体２３，２５の確実な接合が図れ、また、既述したように管部材３７によって釣糸の損傷を防止することができる。
【００２７】
尚、前記実施形態では、周溝４７を上側分割体２３の接合面３９の外周縁に設けたが、下側分割体２５の接合面４３の外周縁に周溝を設けてもよいし、また、両接合面３９，４３の外周縁に周溝を設けて、周縁重りを両分割体２３，２５の接合部外周に跨るように取り付けてもよい。
【図面の簡単な説明】
【００２８】
【図１】請求項１の一実施形態に係る浮子の側面図である。
【図２】図１に示す浮子の断面図である。
【図３】図２のＡ−Ａ線断面図である。
【図４】図２のＢ−Ｂ線断面図である。
【図５】図２のＣ−Ｃ線断面図である。
【図６】従来の浮子の断面図である。
【符号の説明】
【００２９】
２１  浮子
２３  上側分割体
２５  下側分割体
２７  周縁重り
２９  浮子本体
３１  内側重り
３３，３５，５５  釣糸挿通孔
３７  管部材
３９，４３  接合面（接合部）
４１  回止め突部
４５  回止め凹部
４７  周溝
４９  係合突部
５１  係合凹部
５３  空間
【図１】
2010000059.tif 000003
【図２】
2010000059.tif 000004
【図３】
2010000059.tif 000005
【図４】
2010000059.tif 000006
【図５】
2010000059.tif 000007
【図６】
2010000059.tif 000008